(57)【特許請求の範囲】
【請求項１】
原稿が載置される原稿載置台と、前記原稿載置台に載置されている原稿の画像を読取る読取手段と、タッチパネルにより選択可能な操作キーを表示可能な表示部を有する操作パネルと、を有する画像処理装置であって、
前記原稿載置台上における第１の領域の画像と第２の領域の画像とをそれぞれ読取る処理モードが設定されている状態において、前記原稿載置台に載置されている原稿の読取を行う場合、前記第１の領域の画像と前記第２の領域の画像との両方の画像を読取ることを指定する第１の指示キーと、前記第１の領域の画像あるいは前記第２の領域の画像の何れか一方の画像のみを読取ることを指定する第２の指示キーと、画像として読取るべき原稿がないことを指定する第３の指示キーと、を有する選択画面を前記表示部に表示する表示制御手段と、
前記操作パネルにおいて前記表示部に表示されている第１の指示キーが選択された場合、前記原稿載置台に載置されている原稿の第１の領域の画像と第２の領域の画像とをそれぞれ前記読取手段により読取る第１の処理手段と、
前記操作パネルにおいて前記表示部に表示されている第２の指示キーが選択された場合、前記原稿載置台に載置されている原稿の第１の領域の画像あるいは第２の領域の画像のうち何れか一方の画像を読取って一連の読取処理を終了する第２の処理手段と、
前記操作パネルにおいて前記表示部に表示されている第３の指示キーが選択された場合、一連の読取処理を終了する第３の処理手段と、
を有することを特徴とする画像処理装置。
【請求項２】
前記表示制御手段は、
前記第１の処理手段により前記第１の領域の画像と前記第２の領域の画像とをそれぞれ前記読取手段により読取った場合、前記表示部に前記選択画面を表示し、
前記第２の処理手段により前記第１の領域の画像あるいは第２の領域の画像のうち何れか一方の画像を読取って一連の読取処理を終了した場合あるいは前記３の処理手段により一連の読取処理を終了した場合、前記表示部に待機状態の画面を表示する、
ことを特徴とする前記請求項１に記載の画像処理装置。
【請求項３】
原稿が載置される原稿載置台と、前記原稿載置台に載置されている原稿の画像を読取る読取手段と、前記読取手段により読取った画像を被画像形成媒体に形成する画像形成手段と、タッチパネルにより選択可能な操作キーを表示可能な表示部を有する操作パネルと、を有する画像形成装置であって、
前記原稿載置台上における第１の領域の画像と第２の領域の画像とをそれぞれ被画像形成媒体に画像形成する処理モードが設定されている状態において、前記原稿載置台に載置されている原稿の画像の画像形成処理を行う場合、前記第１の領域の画像と第２の領域の画像との両方の画像を画像形成することを指定する第１の指示キーと、前記第１の領域の画像あるいは第２の領域の画像の何れか一方の画像のみを画像形成することを指定する第２の指示キーと、画像形成すべき画像がないことを指定する第３の指示キーと、を有する選択画面を前記表示部に表示する表示制御手段と、
前記操作パネルにおいて前記表示部に表示されている第１の指示キーが選択された場合、前記原稿載置台に載置されている原稿の第１の領域の画像と第２の領域の画像とをそれぞれ前記読取手段により読取って前記画像形成手段により被画像形成媒体の表面あるいは裏面にそれぞれ画像形成する第１の処理手段と、
前記操作パネルにおいて前記表示部に表示されている第２の指示キーが選択された場合、前記原稿載置台に載置されている原稿の第１の領域の画像あるいは第２の領域の画像のうち何れか一方の画像を前記読取手段により読取って前記画像形成手段により被画像形成媒体の表面あるいは裏面に形成して一連の画像形成処理を終了する第２の処理手段と、
前記操作パネルにおいて前記表示部に表示されている第３の指示キーが選択された場合、一連の画像形成処理を終了する第３の処理手段と、
を有することを特徴とする画像形成装置。
【請求項４】
前記表示制御手段は、
前記第１の処理手段により前記読取り手段により読取った前記第１の領域の画像と前記第２の領域の画像とをそれぞれ画像形成処理するとともに、前記表示部に前記選択画面を表示し、
前記第２の処理手段により一連の画像形成処理を終了した場合あるいは前記３の処理手段により一連の画像形成処理を終了した場合、前記表示部に待機状態の画面を表示する、
ことを特徴とする前記請求項３に記載の画像形成装置。
【請求項５】
原稿が載置される原稿載置台と、前記原稿載置台に載置されている原稿の画像を読取る読取手段と、前記読取手段により読取った画像を記憶する記憶手段と、前記記憶手段に記憶されている画像を被画像形成媒体に形成する画像形成手段と、タッチパネルにより選択可能な操作キーを表示可能な表示部を有する操作パネルと、を有する画像形成装置であって、
前記原稿載置台上における第１の領域の画像と第２の領域の画像とをそれぞれ被画像形成媒体に画像形成する処理モードが設定されている状態において、前記原稿載置台に載置されている原稿の画像の画像形成処理を行う場合、前記第１の領域の画像と第２の領域の画像との両方の画像を画像形成することを指定する第１の指示キーと、前記第１の領域の画像あるいは第２の領域の画像の何れか一方の画像のみを画像形成することを指定する第２の指示キーと、画像形成すべき画像がないことを指定する第３の指示キーと、を有する選択画面を前記表示部に表示する表示制御手段と、
前記操作パネルにおいて前記表示部に表示されている第１の指示キーが選択された場合、前記原稿載置台に載置されている原稿の第１の領域の画像と第２の領域の画像とをそれぞれ前記読取手段により読取って前記記憶手段に記憶する第１の処理手段と、
前記操作パネルにおいて前記表示部に表示されている第２の指示キーが選択された場合、前記原稿載置台に載置されている原稿の第１の領域の画像あるいは第２の領域の画像のうち何れか一方の画像を読取って前記記憶手段に記憶して一連の読取処理を終了する第２の処理手段と、
前記操作パネルにおいて前記表示部に表示されている第３の指示キーが選択された場合、一連の読取処理を終了する第３の処理手段と、
前記第２の処理手段あるいは前記第３の処理手段により一連の読取処理が終了した場合に、前記記憶手段に記憶されている画像を被画像形成媒体の表面および裏面に順次形成する第４の処理手段と、
を有することを特徴とする画像形成装置。
【請求項６】
前記表示制御手段は、
前記第１の処理手段により前記第１の領域の画像と前記第２の領域の画像とをそれぞれ前記読取手段により読取った場合、前記表示部に前記選択画面を表示し、
前記第２の処理手段により前記第１の領域の画像あるいは第２の領域の画像のうち何れか一方の画像を読取って一連の読取処理を終了した場合あるいは前記３の処理手段により一連の読取処理を終了した場合、前記表示部に待機状態の画面を表示する、
ことを特徴とする前記請求項５に記載の画像形成装置。
【請求項７】
原稿が載置される原稿載置台と、前記原稿載置台に載置されている原稿の画像を読取る読取手段と、タッチパネルにより選択可能な操作キーを表示可能な表示部を有する操作パネルとを有する画像処理装置に用いられる画像処理方法であって、
前記原稿載置台上における第１の領域の画像と第２の領域の画像とをそれぞれ読取る処理モードが設定されている状態において、前記原稿載置台に載置されている原稿の読取を行う場合、前記第１の領域の画像と前記第２の領域の画像との両方の画像を読取ることを指定する第１の指示キーと、前記第１の領域の画像あるいは前記第２の領域の画像の何れか一方の画像のみを読取ることを指定する第２の指示キーと、画像として読取るべき原稿がないことを指定する第３の指示キーと、を有する選択画面を前記表示部に表示し、
前記操作パネルにおいて前記表示部に表示されている第１の指示キーが選択された場合、前記原稿載置台に載置されている原稿の第１の領域の画像と第２の領域の画像とをそれぞれ前記読取手段により読取り、
前記操作パネルにおいて前記表示部に表示されている第２の指示キーが選択された場合、前記原稿載置台に載置されている原稿の第１の領域の画像あるいは第２の領域の画像のうち何れか一方の画像を読取って一連の読取処理を終了し、
前記操作パネルにおいて前記表示部に表示されている第３の指示キーが選択された場合、一連の読取処理を終了する、
ことを特徴とする画像処理方法。
【発明の詳細な説明】
【０００１】
【発明の属する技術分野】
この発明は、１回の複写指示で、本のように連続した２つの領域（ページ）を続けて複写する機能と両面コピーの組合せでコピーを行うことができる複写機等の画像形成装置に関する。
【０００２】
【従来の技術】
従来の複写機では、１回の複写指示で、本のように連続した２つの領域（ページ）を続けて複写する機能と両面コピーの組合せでコピーを行うことができるようになっている。図３５、図３６はこの組み合わせで複写した時の図である。図３５の方をブック両面コピー、図３６をページ連写両面コピーと記す。また、ブック両面コピーでは原稿の種類（右開き／左開き）の指定が可能であるが、ここでは左開きの本、または原稿をコピーする場合を前提としている。
【０００３】
最初に、本の頭を手前（フロント側）に向け、原稿の場合は２枚の原稿をならべてガラス面上に置く。まず、ブック両面コピー（開始ページ：左、終了ページ：左）を設定し、コピーを開始する。
【０００４】
メモリを用いない複写の場合は、原稿先端に近い方の原稿（以下左ページと記す）の画像が用紙の片面にコピーされ、このコピーされた用紙が排紙される。続けて、原稿先端から遠い方の原稿（以下右ページと記す）の画像が用紙の片面にコピーされ、両面装置にスタックされる。この場合、図３７に示すように、液晶タッチパネルにより、メッセージ「他に原稿がありますか？」を表示し、［ＹＥＳ］／［ＮＯ］のアイコン入力を促す。原稿を置き換え、［ＹＥＳ］またはコピーキーを押すと、両面装置から取出された用紙のもう一面に左ページの画像をコピーした後排紙する。続けて、右ページの画像を用紙の片面にコピーし両面装置にスタックする。前述と同様のメッセージが表示される。ここで次の原稿の片方のページ（左ページ）のみをコピーする場合、［ＮＯ］アイコンを押すことでメッセージ「コピーキーを押してください」が表示され、コピーキーを押すことで左ページのみ、両面装置から取出された用紙にコピーされ排紙される。
【０００５】
メモリを用いた複写の場合も、まず、左ページの画像を読取りメモリに格納し、続けて右ページの画像を読取りメモリに格納する。この場合、図３７に示すように、液晶タッチパネルにより、メッセージ「他に原稿がありますか？」を表示される。そして、原稿を置き換え、コピーキーまたは［ＹＥＳ］アイコンを押すと、左ページ／右ページがそれぞれ読取られメモリに格納される。前述と同様のメッセージが表示される。ここで、次の原稿の片方のページ（左ページ）のみを読取る場合、［ＹＥＳ］アイコンを押下すると左ページ／右ページがそれぞれ読取られメモリに格納される。その後、前と同様のメッセージが表示され、［ＮＯ］アイコンを押すと、メモリに格納された右ページの画像データをクリアし、プリントが開始される。
【０００６】
次に、ページ連写と両面コピー（奇数ページ指定）を設定し、コピーを開始する。
【０００７】
メモリを用いない複写の場合は、左ページの画像が用紙の片面にコピーされ、このコピーされた用紙が排紙される。原稿を置き換え、コピーキーを押すと左ページの画像をコピーし両面装置にスタックする。続けて、両面装置から取出された用紙に右ぺージの画像をコピーし排紙する。原稿を置き換え、コピーキーを押すと左ページの画像をコピーし両面装置にスタックする。続けて、右ページの画像が両面装置から取出された用紙にコピーされ排紙される。
【０００８】
メモリを用いた複写の場合も、まず、左ページの画像を読取りメモリに格納する。この場合、図３７に示すように、液晶タッチパネルにより、メッセージ「他に原稿がありますか？」を表示される。そして、原稿を置き換え、コピーキーまたは［ＹＥＳ］アイコンを押すと、左ページ／右ページの画像がそれぞれ読取られメモリに格納される。前述と同様のメッセージが表示される。原稿を置き換え、コピーキーまたは［ＹＥＳ］アイコンを押すと、左ページ／右ページの画像がそれぞれ読取られメモリに格納される。その後、前と同様のメッセージが表示され、［Ｎ０］アイコンを押すと、メモリに格納された画像データのプリントが開始される。
【０００９】
このとき、ブック両面モードにおける、原稿と排紙される用紙の関係を、図３５の（ａ）（ｂ）（ｃ）に示し、ページ連写両面モードにおける、原稿と排紙される用紙の関係を、図３６の（ａ）（ｂ）（ｃ）に示す。また、上記メッセージ表示中のタッチパネル内蔵の液晶表示部の図を図３７に示す。
【００１０】
上記の手順でコピーを行った場合、以下のような問題が発生する。
【００１１】
（１）メモリを用いた場合と、メモリを用いない場合で、［ＮＯ］キーの意味が異なる。
【００１２】
メモリを用いた場合：プリント開始する（すべて読み取り済）。
【００１３】
メモリを用いない場合：最後の１ページの複写を行う（読み取るページがある）。
【００１４】
ユーザにとって操作が複雑になり、操作ミスが発生することが考えられる。
【００１５】
（２）片方のページのみを読取る手段がない（ブック両面モードの場合）。
【００１６】
メモリを用いた場合：すでに２ページ分読み取ったデータの１ページをクリアする。クリアしたページの読取りに要した時間、および確保したメモリ容量が無駄である。
【００１７】
メモリを用いない場合：「コピーキーを押してください」を表示し、［コピーキーを押すことで片面のみのコピーを行う。操作が２段階に分かれており、操作が煩雑になる。
【００１８】
（３）ページ連写も両面モードの場合はページ順が揃っていない
ぺージ連写機能では、図３６の（ｃ）に示すように、排紙された用紙のページ順が揃っていないため、ステープルもできない。
【００１９】
【発明が解決しようとする課題】
上記したように、ブック両面モードやページ連写両面モードなどの２つの画像を読取ってコピーを行う際に、最後に１つの画像を読取ろうとした場合、指示するキーの意味が違っていたり、片方のページのみを読取ってコピーすることができなかったり、排出される用紙のページ順が揃っていないかったりし、操作性が悪いという欠点を除去するもので、ブック両面モードやページ連写両面モードにおいて、指示するキーの意味を同じにでき、片方のページのみを読取ってコピーすることができ、排出される用紙のページ順を揃えることができ、操作性を向上させることができる画像形成装置を提供することを目的とする。
【００２０】
【課題を解決するための手段】
この発明の画像処理装置は、原稿が載置される原稿載置台と、前記原稿載置台に載置されている原稿の画像を読取る読取手段と、タッチパネルにより選択可能な操作キーを表示可能な表示部を有する操作パネルとを有するものであって、前記原稿載置台上における第１の領域の画像と第２の領域の画像とをそれぞれ読取る処理モードが設定されている状態において、前記原稿載置台に載置されている原稿の読取を行う場合、前記第１の領域の画像と前記第２の領域の画像との両方の画像を読取ることを指定する第１の指示キーと、前記第１の領域の画像あるいは前記第２の領域の画像の何れか一方の画像のみを読取ることを指定する第２の指示キーと、画像として読取るべき原稿がないことを指定する第３の指示キーと、を有する選択画面を前記表示部に表示する表示制御手段と、前記操作パネルにおいて前記表示部に表示されている第１の指示キーが選択された場合、前記原稿載置台に載置されている原稿の第１の領域の画像と第２の領域の画像とをそれぞれ前記読取手段により読取る第１の処理手段と、前記操作パネルにおいて前記表示部に表示されている第２の指示キーが選択された場合、前記原稿載置台に載置されている原稿の第１の領域の画像あるいは第２の領域の画像のうち何れか一方の画像を読取って一連の読取処理を終了する第２の処理手段と、前記操作パネルにおいて前記表示部に表示されている第３の指示キーが選択された場合、一連の読取処理を終了する第３の処理手段とを有する。
【００２１】
この発明の画像形成装置は、原稿が載置される原稿載置台と、前記原稿載置台に載置されている原稿の画像を読取る読取手段と、前記読取手段により読取った画像を被画像形成媒体に形成する画像形成手段と、タッチパネルにより選択可能な操作キーを表示可能な表示部を有する操作パネルとを有するものであって、前記原稿載置台上における第１の領域の画像と第２の領域の画像とをそれぞれ被画像形成媒体に画像形成する処理モードが設定されている状態において、前記原稿載置台に載置されている原稿の画像の画像形成処理を行う場合、前記第１の領域の画像と第２の領域の画像との両方の画像を画像形成することを指定する第１の指示キーと、前記第１の領域の画像あるいは第２の領域の画像の何れか一方の画像のみを画像形成することを指定する第２の指示キーと、画像形成すべき画像がないことを指定する第３の指示キーと、を有する選択画面を前記表示部に表示する表示制御手段と、前記操作パネルにおいて前記表示部に表示されている第１の指示キーが選択された場合、前記原稿載置台に載置されている原稿の第１の領域の画像と第２の領域の画像とをそれぞれ前記読取手段により読取って前記画像形成部により被画像形成媒体の表面あるいは裏面にそれぞれ画像形成する第１の処理手段と、前記操作パネルにおいて前記表示部に表示されている第２の指示キーが選択された場合、前記原稿載置台に載置されている原稿の第１の領域の画像あるいは第２の領域の画像のうち何れか一方の画像を前記読取手段により読取って前記画像形成手段により被画像形成媒体の表面あるいは裏面に形成して一連の画像形成処理を終了する第２の処理手段と、前記操作パネルにおいて前記表示部に表示されている第３の指示キーが選択された場合、一連の画像形成処理を終了する第３の処理手段とを有する。
【００２２】
この発明の画像形成装置は、原稿が載置される原稿載置台と、前記原稿載置台に載置されている原稿の画像を読取る読取手段と、前記読取手段により読取った画像を記憶する記憶手段と、前記記憶手段に記憶されている画像を被画像形成媒体に形成する画像形成手段と、タッチパネルにより選択可能な操作キーを表示可能な表示部を有する操作パネルとを有する画像形成装置であって、前記原稿載置台上における第１の領域の画像と第２の領域の画像とをそれぞれ被画像形成媒体に画像形成する処理モードが設定されている状態において、前記原稿載置台に載置されている原稿の画像の画像形成処理を行う場合、前記第１の領域の画像と第２の領域の画像との両方の画像を画像形成することを指定する第１の指示キーと、前記第１の領域の画像あるいは第２の領域の画像の何れか一方の画像のみを画像形成することを指定する第２の指示キーと、画像形成すべき画像がないことを指定する第３の指示キーと、を有する選択画面を前記表示部に表示する表示制御手段と、前記操作パネルにおいて前記表示部に表示されている第１の指示キーが選択された場合、前記原稿載置台に載置されている原稿の第１の領域の画像と第２の領域の画像とをそれぞれ前記読取手段により読取って前記記憶手段に記憶する第１の処理手段と、前記操作パネルにおいて前記表示部に表示されている第２の指示キーが選択された場合、前記原稿載置台に載置されている原稿の第１の領域の画像あるいは第２の領域の画像のうち何れか一方の画像を読取って前記記憶手段に記憶して一連の読取処理を終了する第２の処理手段と、前記操作パネルにおいて前記表示部に表示されている第３の指示キーが選択された場合、一連の読取処理を終了する第３の処理手段と、前記第２の処理手段あるいは前記第３の処理手段により一連の読取処理が終了した場合に、前記記憶手段に記憶されている画像を被画像形成媒体の表面および裏面に順次形成する第４の処理手段とを有する。
【００２３】
この発明の画像処理方法は、原稿が載置される原稿載置台と、前記原稿載置台に載置されている原稿の画像を読取る読取手段と、タッチパネルにより選択可能な操作キーを表示可能な表示部を有する操作パネルとを有する画像処理装置に用いられる方法であって、前記原稿載置台上における第１の領域の画像と第２の領域の画像とをそれぞれ読取る処理モードが設定されている状態において、前記原稿載置台に載置されている原稿の読取を行う場合、前記第１の領域の画像と前記第２の領域の画像との両方の画像を読取ることを指定する第１の指示キーと、前記第１の領域の画像あるいは前記第２の領域の画像の何れか一方の画像のみを読取ることを指定する第２の指示キーと、画像として読取るべき原稿がないことを指定する第３の指示キーと、を有する選択画面を前記表示部に表示し、前記操作パネルにおいて前記表示部に表示されている第１の指示キーが選択された場合、前記原稿載置台に載置されている原稿の第１の領域の画像と第２の領域の画像とをそれぞれ前記読取手段により読取り、前記操作パネルにおいて前記表示部に表示されている第２の指示キーが選択された場合、前記原稿載置台に載置されている原稿の第１の領域の画像あるいは第２の領域の画像のうち何れか一方の画像を読取って一連の読取処理を終了し、前記操作パネルにおいて前記表示部に表示されている第３の指示キーが選択された場合、一連の読取処理を終了する。
【００３０】
【発明の実施の形態】
以下、この発明の実施の形態について図面を参照して説明する。
【００３１】
すなわち、この発明をコピ―（ＰＰＣ）、ファクシミリ（ＦＡＸ）、プリンタ（ＰＲＴ）の３機能を有する複合形の画像形成装置の実施例について説明する。図１はこの発明の画像形成装置の一例としてのデジタル複写機の内部構造を示す概略構成ブロック図である。
【００３２】
図１に示すように、デジタル複写機は装置本体１０を備え、この装置本体１０内には、後述する読取り手段として機能するスキャナ部４、および画像形成手段として機能するプリンタ部６が設けられている。
【００３３】
装置本体１０の上面には、読取対象物、つまり原稿Ｄが載置される透明なガラスからなる原稿載置台１２が設けられている。また、装置本体１０の上面には、原稿載置台１２上に原稿を自動的に送る自動原稿送り装置７（以下、ＡＤＦと称する）が配設されている。このＡＤＦ７は、原稿載置台１２に対して開閉可能に配設され、原稿載置台１２に載置された原稿Ｄを原稿載置台１２に密着させる原稿押さえとしても機能する。
【００３４】
原稿Ｄが本でこの本に対するブック両面処理を行う場合、図２に示すように、後述するステープル（排紙された用紙の右手前にのみにステープル可能な場合）を考慮して原稿の頭（上部）を装置本体１０のリア側に向けて載置されるようになっている。また、図２、図３に示すように、上記本に対する原稿先端側（左側）の読取り領域を「左ページ」とし、他方の読取り領域を「右ページ」と定義する。
【００３５】
この場合、左開きの本または原稿をコピーする場合について説明したが、右開きの本または原稿をコピーする場合であっても良い。左開き／右開きにかかわらず、読取り順はページの若いほうからとする。
【００３６】
ＡＤＦ７は、原稿Ｄがセットされる原稿トレイ８、原稿の有無を検出するエンプティセンサ９、原稿トレイ８から原稿を一枚づつ取り出すピックアップローラ１４、取り出された原稿を搬送する給紙ローラ１５、原稿の先端を整位するアライニングローラ対１６、原稿載置台１２のほぼ全体を覆うように配設された搬送ベルト１８を備えている。そして、原稿トレイ８に上向きにセットされた複数枚の原稿は、その最下の頁、つまり、最終頁から順に取り出され、アライニングローラ対１６により整位された後、搬送ベルト１８によって原稿載置台１２の所定位置へ搬送される。
【００３７】
ＡＤＦ７において、搬送ベルト１８を挟んでアライニングローラ対１６と反対側の端部には、反転ローラ２０、非反転センサ２１、フラッパ２２、排紙ローラ２３が配設されている。後述するスキャナ部４により画像情報の読取られた原稿Ｄは、搬送ベルト１８により原稿載置台１２上から送り出され、反転ローラ２０、フラッパ２１、および排紙ローラ２２を介してＡＤＦ７上面の原稿排紙部２４上に排出される。原稿Ｄの裏面を読取る場合、フラッパ２２を切換えることにより、搬送ベルト１８によって搬送されてきた原稿Ｄは、反転ローラ２０によって反転された後、再度搬送ベルト１８により原稿載置台１２上の所定位置に送られる。
【００３８】
装置本体１０内に配設されたスキャナ部４は、原稿載置台１２に載置された原稿Ｄを照明する光源としての露光ランプ２５、および原稿Ｄからの反射光を所定の方向に偏向する第１のミラー２６を有し、これらの露光ランプ２５および第１のミラー２６は、原稿載置台１２の下方に配設された第１のキャリッジ２７に取り付けられている。
【００３９】
第１のキャリッジ２７は、原稿載置台１２と平行に移動可能に配置され、図示しない歯付きベルト等を介して駆動モータにより、原稿載置台１２の下方を往復移動される。
【００４０】
また、原稿載置台１２の下方には、原稿載置台１２と平行に移動可能な第２のキャリッジ２８が配設されている。第２のキャリッジ２８には、第１のミラー２６により偏向された原稿Ｄからの反射光を順に偏向する第２および第３のミラー３０、３１が互いに直角に取り付けられている。第２のキャリッジ２８は、第１のキャリッジ２７を駆動する歯付きベルト等により、第１のキャリッジ２７に対して従動されるとともに、第１のキャリッジに対して、１／２の速度で原稿載置台１２に沿って平行に移動される。
【００４１】
また、原稿載置台１２の下方には、第２のキャリッジ２８上の第３のミラー３１からの反射光を集束する結像レンズ３２と、結像レンズにより集束された反射光を受光して光電変換するＣＣＤセンサ３４とが配設されている。結像レンズ３２は、第３のミラー３１により偏向された光の光軸を含む面内に、駆動機構を介して移動可能に配設され、自身が移動することで反射光を所望の倍率で結像する。そして、ＣＣＤセンサ３４は、入射した反射光を光電変換し、読取った原稿Ｄに対応する電気信号を出力する。
【００４２】
一方、プリンタ部６は、潜像形成手段として作用するレーザ露光装置４０を備えている。レーザ露光装置４０は、光源としての半導体レーザ４１と、半導体レーザ４１から出射されたレーザ光を連続的に偏向する走査部材としてのポリゴンミラー３６と、ポリゴンミラー３６を後述する所定の回転数で回転駆動する走査モータとしてもポリゴンモータ３７と、ポリゴンミラーからのレーザ光を偏向して後述する感光体ドラム４４へ導く光学系４２とを備えている。このような構成のレーザ露光装置４０は、装置本体１０の図示しない支持フレームに固定支持されている。
【００４３】
半導体レーザ４１は、スキャナ部４により読取られた原稿Ｄの画像情報、あるいはファクシミリ送受信文書情報等に応じてオン・オフ制御され、このレーザ光はポリゴンミラー３６および光学系４２を介して感光体ドラム４４へ向けられ、感光体ドラム４４周面を走査することにより感光体ドラム４４周面上に静電潜像を形成する。
【００４４】
また、プリンタ部６は、装置本体１０のほぼ中央に配設された像担持体としての回転自在な感光体ドラム４４を有し、感光体ドラム４４周面は、レーザ露光装置４０からのレーザ光により露光され、所望の静電潜像が形成される。感光体ドラム４４の周囲には、ドラム周面を所定の電荷に帯電させる帯電チャージャ４５、感光体ドラム４４周面上に形成された静電潜像に現像剤としてのトナーを供給して所望の画像濃度で現像する現像器４６、後述する用紙カセットから給紙された被転写材、つまり、コピー用紙Ｐを感光体ドラム４４から分離させるための剥離チャージャ４７を一体に有し、感光体ドラム４４に形成されたトナー像を用紙Ｐに転写させる転写チャージャ４８、感光体ドラム４４周面からコピー用紙Ｐを剥離する剥離爪４９、感光体ドラム４４周面に残留したトナーを清掃する清掃装置５０、および、感光体ドラム４４周面の除電する除電器５１が順に配置されている。
【００４５】
装置本体１０内の下部には、それぞれ装置本体から引出し可能な上段カセット５２、中段カセット５３、下段カセット５４が互いに積層状態に配設され、各カセット内にはサイズの異なるコピー用紙が装填されている。これらのカセットの側方には大容量フィーダ５５が設けられ、この大容量フィーダ５５には、使用頻度の高いサイズのコピー用紙Ｐ、例えば、Ａ４サイズのコピー用紙Ｐが約３０００枚収納されている。また、大容量フィーダ５５の上方には、手差しトレイ５６を兼ねた給紙カセット５７が脱着自在に装着されている。
【００４６】
装置本体１０内には、各カセットおよび大容量フィーダ５５から感光体ドラム４４と転写チャージャ４８との間に位置した転写部を通って延びる搬送路５８が形成され、搬送路５８の終端には定着ランプ６０ａを有する定着装置６０が設けられている。定着装置６０に対向した装置本体１０の側壁には排出口６１が形成され、排出口６１にはシングルトレイのフィニッシャ１５０が装着されている。
上段カセット５２、中段カセット５３、下段カセット５４、給紙カセット５７の近傍および大容量フィーダ５５の近傍には、カセットあるいは大容量フィーダから用紙Ｐを一枚づつ取り出すピックアップローラ６３がそれぞれ設けられている。また、搬送路５８には、ピックアップローラ６３により取り出されたコピー用紙Ｐを搬送路５８を通して搬送する多数の給紙ローラ対６４が設けられている。
【００４７】
搬送路５８において感光体ドラム４４の上流側にはレジストローラ対６５が設けられている。レジストローラ対６５は、取り出されたコピー用紙Ｐの傾きを補正するとともに、感光体ドラム４４上のトナー像の先端とコピー用紙Ｐの先端とを整合させ、感光体ドラム４４周面の移動速度と同じ速度でコピー用紙Ｐを転写部へ給紙する。レジストローラ対６５の手前、つまり、給紙ローラ６４側には、コピー用紙Ｐの到達を検出するアライニング前センサ６６が設けられている。
【００４８】
ピックアップローラ６３により各カセットあるいは大容量フィーダ５５から１枚づつ取り出されたコピー用紙Ｐは、給紙ローラ対６４によりレジストローラ対６５へ送られる。そして、コピー用紙Ｐは、レジストローラ対６５により先端が整位された後、転写部に送られる。
【００４９】
転写部において、感光体ドラム４４上に形成された現像剤像、つまり、トナー像が、転写チャージャ４８により用紙Ｐ上に転写される。トナー像の転写されたコピー用紙Ｐは、剥離チャージャ４７および剥離爪４９の作用により感光体ドラム４４周面から剥離され、搬送路５２の一部を構成する搬送ベルト６７を介して定着装置６０に搬送される。そして、定着装置６０によって現像剤像がコピー用紙Ｐに溶融定着さた後、コピー用紙Ｐは、給紙ローラ対６８および排紙ローラ対６９により排出口６１を通してフィニッシャ１５０上へ排出される。
【００５０】
搬送路５８の下方には、定着装置６０を通過したコピー用紙Ｐを反転して再びレジストローラ対６５へ送る自動両面装置７０が設けられている。自動両面装置７０は、コピー用紙Ｐを一時的に集積（スタック）する一時集積部７１と、搬送路５８から分岐し、定着装置６０を通過したコピー用紙Ｐを反転して一時集積部７１に導く反転路７２と、一時集積部に集積されたコピー用紙Ｐを一枚づつ取り出すピックアップローラ７３と、取り出された用紙を搬送路７４を通してレジストローラ対６５へ給紙する給紙ローラ７５とを備えている。また、搬送路５８と反転路７２との分岐部には、コピー用紙Ｐを排出口６１あるいは反転路７２に選択的に振り分ける振り分けゲート７６が設けられている。
【００５１】
両面コピーを行う場合、定着装置６０を通過したコピー用紙Ｐは、振り分けゲート７６により反転路７２に導かれ、反転された状態で一時集積部７１に一時的に集積された後、ピックアップローラ７３および給紙ローラ対７５により、搬送路７４を通してレジストローラ対６５へ送られる。そして、コピー用紙Ｐはレジストローラ対６５により整位された後、再び転写部に送られ、コピー用紙Ｐの裏面にトナー像が転写される。その後、コピー用紙Ｐは、搬送路５８、定着装置６０および排紙ローラ６９を介してフィニッシャ１５０に排紙される。
【００５２】
フィニッシャ１５０は排出された一部構成の文書を一部単位でステープル止めし貯めていくものである。図４に示すように、ステープルするコピー用紙Ｐが一枚排出口６１から排出される度にガイドバー１５１にてステープルされる側に寄せて整合する。全てが排出され終わると紙押えアーム１５２が排出された一部単位のコピー用紙Ｐを抑えステープラユニット１５３がステープル止めを行う。その後、図５の破線で示す位置にガイドバー１５１が下がり、ステープル止めが終わったコピー用紙Ｐはその一部単位でフィニッシャ排出ローラ１５５にてそのフィニッシャ排出トレイ１５４に図６に示すように、排出される。フィニッシャ排出トレイ１５４の下がる量は排出されるコピー用紙Ｐの枚数によりある程度決められ、一部単位に排出される度にステップ的に下がる。また排出されるコピー用紙Ｐを整合するガイドバー１５１はフィニッシャ排出トレイ１５４上に載った既にステープル止めされたコピー用紙Ｐに当たらないような高さの位置にある。
【００５３】
また、フィニッシャ排出トレイ１５４は、ソートモード時、一部ごとにシフト（たとえば、前後左右の４つの方向へ）するシフト機構（図示しない）に接続されている。
【００５４】
また、装置本体１０の前面上部には、様々な複写条件並びに複写動作を開始させる複写開始信号などを入力する操作パネル８０が設けられている。
【００５５】
操作パネル８０は、図７に示すように、テンキー８１、コピーキー８２、状態表示部８３、液晶表示部８４、原稿サイズ設定キー８５、用紙サイズ設定キー８６、濃度表示部８７、濃度設定キー８８、倍率設定キー８９、クリア／ストップキー９０、フィニッシャーキー９１、割込キー９２、オールクリアキー９３、およびカセット選択キー９４によって構成されている。
【００５６】
テンキー８１は、原稿枚数やコピー枚数を設定するものである。
【００５７】
コピーキー８２は、コピー開始を指示するものである。
【００５８】
状態表示部８３は、給紙カセットの選択状態や、原稿や、用紙のジャムなどを案内表示するものである。
【００５９】
液晶表示部８４は、原稿枚数やコピー枚数を表示するとともに、複写倍率や編集の表示や種々の操作案内を行うものである。この液晶表示部８４には、タッチパネルが設けられており、種々の動作指示が入力できるようになっている。たとえば、待機時、図８に示すように、「コピーできます、Ａ４、１００％、１枚」が表示されるとともに、基本キー、編集キー、拡張キー、設定調整キーが表示され、それらが入力できるようになっている。
【００６０】
原稿サイズ設定キー８５は、原稿Ｄのサイズを設定するものである。
【００６１】
用紙サイズ設定キー８６は、用紙Ｐのサイズを設定するものである。
【００６２】
濃度表示部８７は、濃度設定キー８８により設定されるコピー濃度が表示されるものである。
【００６３】
倍率設定キー８９は、コピー倍率を設定するものである。
【００６４】
クリア／ストップキー９０は、テンキー８１による設定内容をクリアし、標準状態に戻すものである。
【００６５】
フィニッシャーキー９１は、スティプル、ソート、グループのソートモードを設定するものである。
【００６６】
割込キー９２は、割込コピーを設定するキーである。
【００６７】
オールクリアキー９３は、動作の中止を指示するキーである。
【００６８】
カセット選択キー９４は、用紙Ｐを給紙する給紙カセット５２、５３、５４、５５、５７を選択するキーである。
【００６９】
次に、図９乃至図１２を参照して画像形成装置の制御回路について説明する。図９は一実施例に係わるデジタル複写機制御システム等の画像形成装置の構成ブロック図の概略図、図１０はスキャナ部を、図１１は基本部ＣＰＵを、図１２はプリンタ部を示す。
【００７０】
デジタル複写機制御システムは、全体は大きく２つのブロックより成り、スキャナ部４、プリンタ部６との間を画像処理手段２１４で繋ぎ、デジタル複写機を構成する基本部３０１と、この基本部３０１からの画像データを受け取り記録し、その記録した画像データを再び基本部３０１に転送することでメモリコピー（電子ソート）を実現するページメモリ部３０２とから構成される。
【００７１】
基本部３０１とページメモリ部３０２は制御データをやりとりする基本部システムインタフェース３１６、画像データをやりとりする基本部画像インタフェース３１７とで接続されている。
【００７２】
次に、基本部３０１は入力手段（スキャナ部）４、出力手段（プリンタ部）６、画像処理手段３１４、およびこれらを制御する制御手段（基本部ＣＰＵ）３１１から構成される。
【００７３】
制御手段（基本部ＣＰＵ）３１１のメインＣＰＵ１００には、ＲＯＭ１０２、ＲＡＭ１０４、画像メモリ１０６、内部インタフェース１２２、外部インターフェース１２３、ファクシミリインターフェース１２６、プリンタインターフェース１２８、補助記録装置インターフェース１３０、符号変換回路１３２、圧縮／伸長回路１３４が接続されている。内部インタフェース１２２には操作パネル８０が接続され、外部インターフェース１２３には、外部装置１２４が接続され、ファクシミリインターフェース１２６には、公衆回線１３６が接続され、プリンタインターフェース１２８には、外部装置１３８が接続され、補助記録装置インターフェース１３０には、ＩＣカードリーダ・ライタ１４２、ハードディスクドライブ１４４等が接続されている。
【００７４】
ここで、画像情報の記録・呼び出し等はメインＣＰＵ１００によって行われる。例えば、画像情報を記録する場合、スキャナＣＰＵ１６０の制御でスキャナ部４によって読みこまれた画像情報はメインＣＰＵ１００の指示により画像メモリ１０６に記録される。メインＣＰＵ１００の指示は、操作部からの入力（キ―入力）によってモ―ドが決定され行われる。
【００７５】
ＲＡＭ１０４には、パラメータテーブル１０４ａが設定されるようになっている。このパラメータテーブル１０４ａには、操作パネル８０等により設定された複写条件が記録されるようになっており、設定されない条件は規定値が対応しているようになっている。この複写条件として設定されるパラメータは、複写部数、原稿サイズ、用紙サイズ、倍率、ソートモード等である。
【００７６】
次に、図１０を参照してスキャナ部４の詳細な構成について説明する。スキャナ部４のスキャナＣＰＵ１６０には、露光ランプ２５を制御するランプ制御部１６４、走査モータ１６６を制御するモータドライバ１６８、センサ、スイッチ、ソレノイド類１７０を駆動制御する駆動部１７２に接続してこれらを制御し、また、ＣＣＤセンサ３４からの画像情報について画像処理するためのＡ／Ｄ変換回路１７６、解像度変換回路１７８、シェーディング補正回路１７９、画質改善回路１８０、２値化回路１８２に接続して、これらを制御する。
【００７７】
次に、図１２を参照してプリンタ部６について詳細に説明する。プリンタ部６において、プリンタＣＰＵ１９０には、メインモータ１９２を駆動するメインモータドライバ１９４、センサ、スイッチ、ソレノイド類１９６を駆動制御する駆動部１９８、定着ランプ６０ａを制御する定着ランプ制御部２０２、帯電チャージャ４５、転写チャージャ４８、剥離チャージャ４７に高圧トランス２１３、２１４、２１５からの高圧電圧を印加制御する高圧出力制御部２１２、除電器５１を制御する除電器制御部２１６、給紙ローラ対６４、…、６８、レジストローラ対６５、搬送ベルト６７、排紙ローラ対６９用の給紙モータ２２２を制御する給紙制御部２２４、半導体レーザ４１、ポリゴンモータ３７用のレーザ駆動回路２３０を制御する変調回路３２３に接続して、これらを制御する。
【００７８】
次に、ペ−ジメモリ部３０２について図９を参照して説明する。ページメモリ部３０２は、基本部３０１およびからのページメモリ３２３へのアクセスを制御し、通信メモリ３０５を内蔵するシステム制御手段３０４、画像データを一時的に記録しておく記録手段（ページメモリ）３２３、ページメモリ３２３のアドレスを生成するアドレス制御部３０６、ページメモリ部３０２内の各デバイス間のデータ転送を行う画像バス３２０、ページメモリ部３０２内の各デバイスとシステム制御手段３０４との間の制御信号の転送を行う制御バス３２１、画像バス３２０を介してページメモリ３２３と他のデバイスとのデータ転送を行うときのデータ転送を制御するデータ制御手段３０７、基本部画像インタフェース３１７を介して基本部３０１と画像データを転送するときに画像データをインタフェースする画像データＩ／Ｆ手段３０８、解像度の異なる機器に画像データを送信するときに画像データを他の機器の解像度に変換したり、解像度の異なる機器から受信した画像データを基本部３０１のプリンタ３１５の解像度に変換したり、２値画像データの９０度回転処理を実行する解像度変換／２値回転手段３２５、ファクシミリ送信や光ディスク記録のように画像データを圧縮して送信したり、記録したりするデバイスのために入力した画像データを圧縮したり、圧縮された形態の画像データをプリンタ３１５を介して可視化するために伸長する圧縮／伸長手段３２４、画像データＩ／Ｆ手段３０８に接続され、プリンタ部６から画像データを出力するときに画像データを９０度あるいは−９０度回転して出力するときに使用する多値回転メモリ３０９で構成される。
【００７９】
また、ペ−ジメモリ３２３は図１３に示すようにスキャナ部４で読み込まれた原稿のイメ−ジデ−タが書き込まれる頁バッファ領域Ｍ１とそのイメ−ジデ−タを圧縮したデ−タが書き込まれる１ペ−ジ単位毎に区切られたファイルエリアＭ２に区分されている。
【００８０】
このファイルエリアＭ２の各ペ−ジの先頭アドレスはファイルエリア頁毎デ−タ先頭アドレス格納領域Ｍ３に記録されている。
【００８１】
次に、ステープル電子ソートについて、図１４、図１５を用いて説明する。
【００８２】
例として３ページからなる書類を２部複写することを考える。
【００８３】
図１４において、ソートなしのコピーでは、ＡＤＦ７からＤ３−Ｄ２−Ｄ１の順で原稿Ｄが原稿読取り位置へ送り込まれ、スキャナ部４による原稿読み込みとプリンタ部６による印刷の組み合わせで３−３−２−２−１−１の順で画像がコピー用紙Ｐに形成される。画像が形成されたコピー用紙Ｐは、フィニッシャ排出トレイ１５４上に上から１−１−２−２−３−３の順でスタックされる。
【００８４】
また、図１５において、ステープル電子ソートによるコピーでは、ＡＤＦ７からＤ３−Ｄ２−Ｄ１の順で原稿Ｄが原稿読取り位置へ送り込まれ、スキャナ部４によって３−２−１の順でページメモリ３２３に画像を読み込む。続いて３−２−１の順でページメモリ３２３からプリンタ部６に出力した後にステープルしてトレイに排紙する。同様に３−２−１とページメモリからプリンタに出力し、ステープルしてフィニッシャ排出トレイ１５４に排紙する。フィニッシャ排出トレイ１５４に排紙されたコピー用紙Ｐは、上から１−２−３の順でステープルされており、オペレータはステープルされた２部の書類のコピーを入手できる。
【００８５】
次に、デジタル複写機の全体の動作を説明する。
【００８６】
すなわち、全体の概要は、図１６のフローチャートに示すように、操作パネル入力処理（ＳＴ１）、操作パネル出力処理（ＳＴ２）、および複写動作制御処理（ＳＴ３）からなっている。
【００８７】
上記操作パネル入力処理を、図１７に示すフローチャートを参照しつつ説明する。
【００８８】
すなわち、メインＣＰＵ１００は、ハードキーの入力かタッチパネルによる入力かを判断し（ＳＴ４）。カセット選択キー９４やコピーキー８２などのハードキーが入力された際、それぞれのキーごとに分岐し（ＳＴ５）、カセット選択キー９４の入力に応じて、カセット選択処理を実行し（ＳＴ６）、コピーキー８２の入力に応じて、複写開始要求フラグを内部メモリ（図示しない）にセットする（ＳＴ７）。
【００８９】
また、メインＣＰＵ１００は、液晶表示部８４のタッチパネルの両面設定キーのアイコンやページ連写設定キーのアイコンが入力された際、それぞれのアイコンごとに分岐し（ＳＴ８）、両面設定キーの入力に応じて、両面設定処理を実行し（ＳＴ９）、ページ連写設定キーの入力に応じて、ページ連写設定処理を実行する（ＳＴ１０）。
【００９０】
ページ連写設定処理を図１８に示すフローチャートを参照しつつ説明する。
【００９１】
すなわち、メインＣＰＵ１００は、内部メモリにページ連写フラグをセットする（ＳＴ１１）。
【００９２】
両面設定処理を、図１９に示すフローチャートを参照しつつ説明する。
【００９３】
すなわち、まず、メインＣＰＵ１００は、液晶表示部８４により通常両面かブック両面かの選択画面を表示する。この表示に応じて、通常両面が選択されたと判断した際、メインＣＰＵ１００は、内部メモリに通常両面フラグをセットする（ＳＴ１２、１３）。ついで、メインＣＰＵ１００は、液晶表示部８４により奇数枚原稿か偶数枚原稿かの選択画面を表示する。この表示に応じて、奇数枚原稿が選択されたと判断した際、メインＣＰＵ１００は、内部メモリに奇数枚原稿フラグをセットし、偶数枚原稿が選択されたと判断した際、メインＣＰＵ１００は、内部メモリに偶数枚原稿フラグをセットする（ＳＴ１４、１５、１６）。
【００９４】
また、ブック両面が選択されたと判断した際、メインＣＰＵ１００は、内部メモリにブック両面フラグをセットする（ＳＴ１２、１７）。ついで、メインＣＰＵ１００は、液晶表示部８４により右開き原稿か否かの選択画面を表示する。この表示に応じて、右開き原稿が選択されたと判断した際、メインＣＰＵ１００は、内部メモリに右開き原稿フラグをセットし、右開き原稿が選択されていないと判断した際、メインＣＰＵ１００は、内部メモリに右開き原稿フラグをリセットする（ＳＴ１８、１９、２０）。
【００９５】
ついで、メインＣＰＵ１００は、液晶表示部８４により開始ページが右か否かの選択画面を表示する。この表示に応じて、開始ページが右と選択されたと判断した際、メインＣＰＵ１００は、内部メモリに右ページ開始フラグをセットし、開始ページが右と選択されていないと判断した際、メインＣＰＵ１００は、内部メモリに右ページ開始フラグをリセットする（ＳＴ２１、２２、２３）。
【００９６】
ついで、メインＣＰＵ１００は、液晶表示部８４により終了ページが右か否かの選択画面を表示する。この表示に応じて、終了ページが右と選択されたと判断した際、メインＣＰＵ１００は、内部メモリに右ページ終了フラグをセットし、終了ページが右と選択されていないと判断した際、メインＣＰＵ１００は、内部メモリに右ページ終了フラグをリセットする（ＳＴ２４、２５、２６）。
【００９７】
次に、複写開始処理を、図２０に示すフローチャートを参照しつつ説明する。すなわち、メインＣＰＵ１００は、内部メモリの各フラグの状態をチェックし、このチェックの結果に応じた処理を判断する。
【００９８】
まず、両面コピーも頁連写も設定されていない場合（ＳＴ３１、３２）、片面複写処理を判断し（ＳＴ３３）、両面コピーが設定されておらず、頁連写が設定されている場合（ＳＴ３１、３２）、片面でのページ連写処理を判断する（ＳＴ３４）。
【００９９】
また、両面コピーが設定され（ＳＴ３１）、通常両面とページ連写が設定されている場合（ＳＴ３５、３６）、両面でのページ連写処理を判断する（ＳＴ３７）。
【０１００】
また、両面コピーが設定され（ＳＴ３１）、通常両面が設定され、ページ連写が設定されていない場合（ＳＴ３５、３６）、両面連写処理を判断する（ＳＴ３８）。
【０１０１】
また、両面コピーが設定され（ＳＴ３１）、通常両面が設定されていない場合（ＳＴ３５）、ブック両面処理を判断する（ＳＴ３９）。
【０１０２】
次に、ブック両面の複写処理を、図２１に示すフローチャート、図２２、図２４、図２５、図２６に示す複写状態図、および図２３に示す表示例を参照しつつ説明する。
【０１０３】
すなわち、図２２（ａ）に示すように、原稿としての本が見開きの状態で、原稿載置台１２上に載置され、コピーキー８２が入力された際、メインＣＰＵ１００は、コピーキー８２の押下を判断し（ＳＴ４１、４２）、開始頁が右、終了頁が右と判断し（ＳＴ４３）、さらに自動両面装置７０内に用紙をスタック中でないと判断し（ＳＴ４４）、スキャナ部４、画像処理装置３１４、プリンタ部６を制御し、右頁の原稿の画像をコピー用紙Ｐの表面に複写した後、フィニッシャ１５０に排紙される（ＳＴ４５）（図２２（ｂ）（ｃ）参照）。
【０１０４】
ついで、コピー用紙Ｐの排紙が完了した際（ＳＴ４６）、メインＣＰＵ１００は、スキャナ部４、画像処理装置３１４、プリンタ部６を制御し、左頁の原稿の画像をコピー用紙Ｐの表面に複写し、反転した後、自動両面装置７０内の一時集積部７１にスタックする（ＳＴ４７）（図２２（ｄ）参照）。このスタックが行われた後（ＳＴ４８）、メインＣＰＵ１００は、液晶表示部８４により、図２３に示すように、「他に原稿がありますか？」という案内を表示するとともに、［ＹＥＳ（ＢＯＴＨ）］、［ＹＥＳ（ＳＩＮＧＬＥ）］、［ＮＯ］の各アイコンの選択画面を表示する（ＳＴ４９）。
【０１０５】
［ＹＥＳ（ＢＯＴＨ）］のアイコンＩ１は、次の原稿の両面（両方の頁）をコピーする際に入力するものであり、［ＹＥＳ（ＳＩＮＧＬＥ）］のアイコンＩ２は、次の原稿の片面（片方の頁）をコピーする際に入力するものであり、［ＮＯ］のアイコンＩ３は、次の原稿のなしを入力するものである。
【０１０６】
そして、図２４（ａ）に示すように、本の頁が捲られて原稿載置台１２上に載置され、上記ステップ４９の表示に応じて、［ＹＥＳ（ＢＯＴＨ）］のアイコンＩ１が入力された際、メインＣＰＵ１００は、［ＹＥＳ（ＢＯＴＨ）］のアイコンＩ１の押下を判断し（ＳＴ４１、４２）、さらに自動両面装置７０内にコピー用紙Ｐをスタック中であると判断し（ＳＴ４４）、スキャナ部４、画像処理装置３１４、プリンタ部６を制御し、一時集積部７１にスタックされているコピー用紙Ｐを取出し、このコピー用紙Ｐの裏面に右頁の原稿の画像を複写した後、フィニッシャ１５０に排紙される（ＳＴ５０）（図２４（ｂ）（ｃ）参照）。
【０１０７】
ついで、コピー用紙Ｐの排紙が完了した際（ＳＴ４６）、メインＣＰＵ１００は、スキャナ部４、画像処理装置３１４、プリンタ部６を制御し、左頁の原稿の画像をコピー用紙Ｐの表面に複写し、反転した後、自動両面装置７０内の一時集積部７１にスタックする（ＳＴ４７）（図２４（ｄ）参照）。このスタックが行われた後（ＳＴ４８）、メインＣＰＵ１００は、液晶表示部８４により、図２３に示すように、「他に原稿がありますか？」という案内を表示するとともに、［ＹＥＳ（ＢＯＴＨ）］、［ＹＥＳ（ＳＩＮＧＬＥ）］、［ＮＯ］の各アイコンの選択画面を表示する（ＳＴ４９）。
【０１０８】
そして、図２５（ａ）に示すように、本の頁が捲られて原稿載置台１２上に載置され、上記表示に応じて、［ＹＥＳ（ＳＩＮＧＬＥ）］のアイコンＩ２が入力された際、メインＣＰＵ１００は、［ＹＥＳ（ＳＩＮＧＬＥ）］のアイコンＩ２の押下を判断し（ＳＴ４１、４２）、スキャナ部４、画像処理装置３１４、プリンタ部６を制御し、一時集積部７１にスタックされているコピー用紙Ｐを取出し、このコピー用紙Ｐの裏面に右頁の原稿の画像を複写した後、フィニッシャ１５０に排紙される（ＳＴ５１）（図２５（ｂ）（ｃ）参照）。
【０１０９】
ついで、コピー用紙Ｐの排紙が完了した際（ＳＴ５２）、メインＣＰＵ１００は、液晶表示部８４により、「コピーできます」というレディ画面を表示する（ＳＴ５３）。
【０１１０】
また、上記ステップ４９の表示に応じて、［ＮＯ］のアイコンＩ３が入力された際、メインＣＰＵ１００は、［ＮＯ］のアイコンＩ３の押下を判断し（ＳＴ４１、４２）、一時集積部７１にスタックされているコピー用紙Ｐを取出し、裏面が白紙のままフィニッシャ１５０に排紙される（ＳＴ５４）（図２６（ａ）（ｂ）参照）。
【０１１１】
ついで、コピー用紙Ｐの排紙が完了した際（ＳＴ５５）、メインＣＰＵ１００は、液晶表示部８４により、「コピーできます」というレディ画面を表示する（ＳＴ５６）。
【０１１２】
上記例では、両面設定処理により、開始頁が右、終了頁が右に設定されている場合について説明したが、開始頁が右、終了頁が左に設定されている場合、開始頁が左、終了頁が右に設定されている場合、開始頁が左、終了頁が左に設定されている場合も上記同様に実施することができる。
【０１１３】
この場合、開始頁が右、終了頁が左に設定されている場合、ステップ５１の原稿の読取りが左頁に変更され、開始頁が左、終了頁が右に設定されている場合、ステップ４５、５０の原稿の読取りが左頁に変更され、ステップ４７の原稿の読取りが右頁に変更され、開始頁が左、終了頁が左に設定されている場合、ステップ４５、５０、５１の原稿の読取りが左頁に変更され、ステップ４７の原稿の読取りが右頁に変更される。
【０１１４】
次に、ページ連写両面の複写処理を、図２７に示すフローチャート、図２８〜図３０に示す複写状態図、および図２３に示す表示例を参照しつつ説明する。
【０１１５】
すなわち、図２８（ａ）に示すように、２枚の原稿が原稿載置台１２上に載置され、コピーキー８２が入力された際、メインＣＰＵ１００は、コピーキー８２の押下を判断し（ＳＴ６１、６２）、奇数ページ原稿を判断した際（ＳＴ６３）、スキャナ部４、画像処理装置３１４、プリンタ部６を制御し、右頁の原稿の画像をコピー用紙Ｐの表面に複写し、反転した後、自動両面装置７０内の一時集積部７１にスタックする（ＳＴ６４）（図２８（ｂ）（ｃ）参照）。このスタックが行われた後（ＳＴ６５）、メインＣＰＵ１００は、スキャナ部４、画像処理装置３１４、プリンタ部６を制御し、一時集積部７１にスタックされているコピー用紙Ｐを取出し、このコピー用紙Ｐの裏面に左頁の原稿の画像を複写した後、フィニッシャ１５０に排紙される（ＳＴ６６）（図２８（ｂ）（ｄ）参照）。
【０１１６】
このコピー用紙Ｐの排紙が完了した際（ＳＴ６７）、メインＣＰＵ１００は、液晶表示部８４により、図２３に示すように、「他に原稿がありますか？」という案内を表示するとともに、［ＹＥＳ（ＢＯＴＨ）］、［ＹＥＳ（ＳＩＮＧＬＥ）］、［ＮＯ］の各アイコンの選択画面を表示する（ＳＴ６８）。
【０１１７】
そして、図２９（ａ）に示すように、別の２枚の原稿が原稿載置台１２上に載置され、上記ステップ６８の表示に応じて、［ＹＥＳ（ＢＯＴＨ）］のアイコンＩ１が入力された際、メインＣＰＵ１００は、［ＹＥＳ（ＢＯＴＨ）］のアイコンＩ１の押下を判断し（ＳＴ６１、６２）、上述したステップ６４から６８が処理され、図２９（ｂ）（ｃ）（ｄ）に示すように、２枚の原稿の画像がコピー用紙Ｐの表裏に複写されて、フィニッシャ１５０に排紙される。
【０１１８】
そして、図３０（ａ）に示すように、２枚の原稿が原稿載置台１２上に載置され、上記表示に応じて、［ＹＥＳ（ＳＩＮＧＬＥ）］のアイコンＩ２が入力された際、メインＣＰＵ１００は、［ＹＥＳ（ＳＩＮＧＬＥ）］のアイコンＩ２の押下を判断し（ＳＴ６１、６２）、スキャナ部４、画像処理装置３１４、プリンタ部６を制御し、コピー用紙Ｐの表面に右頁の原稿の画像を複写し、反転した後、自動両面装置７０内の一時集積部７１にスタックする（ＳＴ６９）（図３０（ｂ）（ｃ）参照）。このスタックが行われた後（ＳＴ７０）、メインＣＰＵ１００は、一時集積部７１にスタックされているコピー用紙Ｐを取出し、このコピー用紙Ｐの裏面が白紙のままフィニッシャ１５０に排紙される（ＳＴ７１）（図３０（ｂ）（ｄ）参照）。
【０１１９】
ついで、コピー用紙Ｐの排紙が完了した際（ＳＴ７２）、メインＣＰＵ１００は、液晶表示部８４により、「コピーできます」というレディ画面を表示する（ＳＴ７３）。
【０１２０】
また、上記ステップ６９の表示に応じて、［ＮＯ］のアイコンＩ３が入力された際、メインＣＰＵ１００は、［ＮＯ］のアイコンＩ３の押下を判断し（ＳＴ６１、６２）、液晶表示部８４により、「コピーできます」というレディ画面を表示する（ＳＴ７４）。
【０１２１】
上記例では、両面設定処理により、奇数枚原稿に設定されている場合について説明したが、偶数枚原稿に設定されている場合も上記同様に実施することができる。
【０１２２】
また、上記例では、ページメモリ３２３を用いずに複写する場合について説明したが、これに限らず、ページメモリ３２３を用いて複写する場合についても上記同様に実施することができる。これは、フィニッシャーキー９１により、ソートモードが設定されている際に、ページメモリ３２３を用いて複写するようになっている。この場合、原稿の画像の読取りがすべて終了した後に、コピー用紙への複写が別に行われる。
【０１２３】
上記ソートモードが設定されている際のブック両面の複写処理を、図３１、図３２に示すフローチャート、図２２、図２４、図２５、図２６に示す複写状態図、および図２３に示す表示例を参照しつつ説明する。
【０１２４】
すなわち、図２２（ａ）に示すように、原稿としての本が見開きの状態で、原稿載置台１２上に載置され、コピーキー８２が入力された際、メインＣＰＵ１００は、コピーキー８２の押下を判断し（ＳＴ８１、８２）、開始頁が右、終了頁が右と判断し（ＳＴ８３）、スキャナ部４、画像処理装置３１４、ページメモリ部３０２を制御し、右頁の原稿の画像を１頁目としてページメモリ３２３に記録し、続いて左頁の原稿の画像を２頁目としてページメモリ３２３に記録する（ＳＴ８４）。
【０１２５】
ついで、メインＣＰＵ１００は、液晶表示部８４により、図２３に示すように、「他に原稿がありますか？」という案内を表示するとともに、［ＹＥＳ（ＢＯＴＨ）］、［ＹＥＳ（ＳＩＮＧＬＥ）］、［ＮＯ］の各アイコンの選択画面を表示する（ＳＴ８５）。
【０１２６】
そして、図２４（ａ）に示すように、本の頁が捲られて原稿載置台１２上に載置され、上記ステップ８５の表示に応じて、［ＹＥＳ（ＢＯＴＨ）］のアイコンＩ１が入力された際、メインＣＰＵ１００は、［ＹＥＳ（ＢＯＴＨ）］のアイコンＩ１の押下を判断し（ＳＴ８１、８２）、スキャナ部４、画像処理装置３１４、ページメモリ部３０２を制御し、右頁の原稿の画像を３頁目としてページメモリ３２３に記録し、続いて左頁の原稿の画像を４頁目としてページメモリ３２３に記録する（ＳＴ８６）。
【０１２７】
ついで、メインＣＰＵ１００は、液晶表示部８４により、図２３に示すように、「他に原稿がありますか？」という案内を表示するとともに、［ＹＥＳ（ＢＯＴＨ）］、［ＹＥＳ（ＳＩＮＧＬＥ）］、［ＮＯ］の各アイコンの選択画面を表示する（ＳＴ８５）。
【０１２８】
そして、図２５（ａ）に示すように、本の頁が捲られて原稿載置台１２上に載置され、上記表示に応じて、［ＹＥＳ（ＳＩＮＧＬＥ）］のアイコンＩ２が入力された際、メインＣＰＵ１００は、［ＹＥＳ（ＳＩＮＧＬＥ）］のアイコンＩ２の押下を判断し（ＳＴ８１、８２）、スキャナ部４、画像処理装置３１４、ページメモリ部３０２を制御し、右頁の原稿の画像を５頁目としてページメモリ３２３に記録する（ＳＴ８７）。
【０１２９】
ついで、メインＣＰＵ１００は、液晶表示部８４により、「コピーできます」というレディ画面を表示する（ＳＴ８９）。
【０１３０】
また、メインＣＰＵ１００は、ページメモリ部３０２、プリンタ部６を制御し、ページメモリ３２３に記録されている１頁目の画像を読出し、コピー用紙Ｐの表面に１頁目の画像を複写した後、フィニッシャ１５０に排紙される（ＳＴ９０）（図２２（ｂ）（ｃ）参照）。
【０１３１】
ついで、コピー用紙Ｐの排紙が完了した際（ＳＴ９１）、メインＣＰＵ１００は、ページメモリ部３０２、プリンタ部６を制御し、ページメモリ３２３に記録されている２頁目の画像を読出し、コピー用紙Ｐの表面に２頁目の画像を複写し、反転した後、自動両面装置７０内の一時集積部７１にスタックする（ＳＴ９２）（図２２（ｄ）参照）。
【０１３２】
このスタックが行われた後（ＳＴ９３）、メインＣＰＵ１００は、ページメモリ部３０２、プリンタ部６を制御し、ページメモリ３２３に記録されている３頁目の画像を読出し、一時集積部７１にスタックされているコピー用紙Ｐを取出し、このコピー用紙Ｐの裏面に３頁目の画像を複写した後、フィニッシャ１５０に排紙される（ＳＴ９４）（図２４（ｂ）（ｃ）参照）。
【０１３３】
ついで、コピー用紙Ｐの排紙が完了した際（ＳＴ９５）、メインＣＰＵ１００は、ページメモリ部３０２、プリンタ部６を制御し、ページメモリ３２３に記録されている４頁目の画像を読出し、コピー用紙Ｐの表面に４頁目の画像を複写し、反転した後、自動両面装置７０内の一時集積部７１にスタックする（ＳＴ９６）（図２４（ｄ）参照）。
【０１３４】
このスタックが行われた後（ＳＴ９７）、メインＣＰＵ１００は、ページメモリ部３０２、プリンタ部６を制御し、ページメモリ３２３に記録されている５頁目の画像を読出し、一時集積部７１にスタックされているコピー用紙Ｐを取出し、このコピー用紙Ｐの裏面に５頁目の画像を複写した後、フィニッシャ１５０に排紙される（ＳＴ９８）（図２５（ｂ）（ｃ）参照）。
【０１３５】
また、上記ステップ８５の表示に応じて、［ＮＯ］のアイコンＩ３が入力された際、メインＣＰＵ１００は、［ＮＯ］のアイコンＩ３の押下を判断し（ＳＴ８１、８２）、液晶表示部８４により、「コピーできます」というレディ画面を表示する（ＳＴ９９）。
【０１３６】
また、メインＣＰＵ１００は、ページメモリ部３０２、プリンタ部６を制御し、ページメモリ３２３に記録されている１頁目の画像を読出し、コピー用紙Ｐの表面に１頁目の画像を複写した後、フィニッシャ１５０に排紙される（ＳＴ１００）（図２２（ｂ）（ｃ）参照）。
【０１３７】
ついで、コピー用紙Ｐの排紙が完了した際（ＳＴ１０１）、メインＣＰＵ１００は、ページメモリ部３０２、プリンタ部６を制御し、ページメモリ３２３に記録されている２頁目の画像を読出し、コピー用紙Ｐの表面に２頁目の画像を複写し、反転した後、自動両面装置７０内の一時集積部７１にスタックする（ＳＴ１０２）（図２２（ｄ）参照）。
【０１３８】
このスタックが行われた後（ＳＴ１０３）、メインＣＰＵ１００は、ページメモリ部３０２、プリンタ部６を制御し、ページメモリ３２３に記録されている３頁目の画像を読出し、一時集積部７１にスタックされているコピー用紙Ｐを取出し、このコピー用紙Ｐの裏面に３頁目の画像を複写した後、フィニッシャ１５０に排紙される（ＳＴ１０４）（図２４（ｂ）（ｃ）参照）。
【０１３９】
ついで、コピー用紙Ｐの排紙が完了した際（ＳＴ１０５）、メインＣＰＵ１００は、ページメモリ部３０２、プリンタ部６を制御し、ページメモリ３２３に記録されている４頁目の画像を読出し、コピー用紙Ｐの表面に４頁目の画像を複写し、反転した後、自動両面装置７０内の一時集積部７１にスタックする（ＳＴ１０６）（図２４（ｄ）参照）。ついで、メインＣＰＵ１００は、一時集積部７１にスタックされているコピー用紙Ｐを取出し、裏面が白紙のままフィニッシャ１５０に排紙される（ＳＴ１０７）（図２６（ａ）（ｂ）参照）。
【０１４０】
上記例では、両面設定処理により、開始頁が右、終了頁が右に設定されている場合について説明したが、開始頁が右、終了頁が左に設定されている場合、開始頁が左、終了頁が右に設定されている場合、開始頁が左、終了頁が左に設定されている場合も上記同様に実施することができる。
【０１４１】
次に、ページ連写両面の複写処理を、図３３、図３４に示すフローチャート、図２８〜図３０に示す複写状態図、および図２３に示す表示例を参照しつつ説明する。
【０１４２】
すなわち、図２８（ａ）に示すように、２枚の原稿が原稿載置台１２上に載置され、コピーキー８２が入力された際、メインＣＰＵ１００は、コピーキー８２の押下を判断し（ＳＴ１１１、１１２）、奇数ページ原稿を判断した際（ＳＴ１１３）、スキャナ部４、画像処理装置３１４、ページメモリ部３０２を制御し、右頁の原稿の画像を１頁目としてページメモリ３２３に記録し、続いて左頁の原稿の画像を２頁目としてページメモリ３２３に記録する（ＳＴ１１４）。
【０１４３】
ついで、メインＣＰＵ１００は、液晶表示部８４により、図２３に示すように、「他に原稿がありますか？」という案内を表示するとともに、［ＹＥＳ（ＢＯＴＨ）］、［ＹＥＳ（ＳＩＮＧＬＥ）］、［ＮＯ］の各アイコンの選択画面を表示する（ＳＴ１１５）。
【０１４４】
そして、図２９（ａ）に示すように、別の２枚の原稿が原稿載置台１２上に載置され、上記ステップ１１５の表示に応じて、［ＹＥＳ（ＢＯＴＨ）］のアイコンＩ１が入力された際、メインＣＰＵ１００は、［ＹＥＳ（ＢＯＴＨ）］のアイコンＩ１の押下を判断し（ＳＴ１１１、１１２）、上述したステップ９４、９５が処理され、２枚の原稿の画像が３頁目、４頁目としてページメモリ３２３に記録される（ＳＴ１１６）。
【０１４５】
ついで、メインＣＰＵ１００は、液晶表示部８４により、図２３に示すように、「他に原稿がありますか？」という案内を表示するとともに、［ＹＥＳ（ＢＯＴＨ）］、［ＹＥＳ（ＳＩＮＧＬＥ）］、［ＮＯ］の各アイコンの選択画面を表示する（ＳＴ１１５）。
【０１４６】
そして、図３０（ａ）に示すように、２枚の原稿が原稿載置台１２上に載置され、上記表示に応じて、［ＹＥＳ（ＳＩＮＧＬＥ）］のアイコンＩ２が入力された際、メインＣＰＵ１００は、［ＹＥＳ（ＳＩＮＧＬＥ）］のアイコンＩ２の押下を判断し（ＳＴ１１１、１１２）、スキャナ部４、画像処理装置３１４、ページメモリ部３０２を制御し、右頁の原稿の画像を５頁目としてページメモリ３２３に記録する（ＳＴ１１７）。
【０１４７】
ついで、メインＣＰＵ１００は、液晶表示部８４により、「コピーできます」というレディ画面を表示する（ＳＴ１１９）。
【０１４８】
また、メインＣＰＵ１００は、ページメモリ部３０２、プリンタ部６を制御し、ページメモリ３２３に記録されている１頁目の画像を読出し、コピー用紙Ｐの表面に１頁目の画像を複写し、反転した後、自動両面装置７０内の一時集積部７１にスタックする（ＳＴ１２０）（図２８（ｂ）（ｃ）参照）。
【０１４９】
このスタックが行われた後（ＳＴ１２１）、メインＣＰＵ１００は、ページメモリ部３０２、プリンタ部６を制御し、ページメモリ３２３に記録されている２頁目の画像を読出し、一時集積部７１にスタックされているコピー用紙Ｐを取出し、このコピー用紙Ｐの裏面に２頁目の画像を複写した後、フィニッシャ１５０に排紙される（ＳＴ１２２）（図２８（ｂ）（ｄ）参照）。
【０１５０】
ついで、コピー用紙Ｐの排紙が完了した際（ＳＴ１２３）、メインＣＰＵ１００は、ページメモリ部３０２、プリンタ部６を制御し、ページメモリ３２３に記録されている３頁目の画像を読出し、コピー用紙Ｐの表面に３頁目の画像を複写し、反転した後、自動両面装置７０内の一時集積部７１にスタックする（ＳＴ１２４）（図２９（ｂ）（ｃ）参照）。
【０１５１】
このスタックが行われた後（ＳＴ１２５）、メインＣＰＵ１００は、ページメモリ部３０２、プリンタ部６を制御し、ページメモリ３２３に記録されている４頁目の画像を読出し、一時集積部７１にスタックされているコピー用紙Ｐを取出し、このコピー用紙Ｐの裏面に４頁目の画像を複写した後、フィニッシャ１５０に排紙される（ＳＴ１２６）（図２９（ｂ）（ｄ）参照）。
【０１５２】
ついで、コピー用紙Ｐの排紙が完了した際（ＳＴ１２７）、メインＣＰＵ１００は、ページメモリ部３０２、プリンタ部６を制御し、ページメモリ３２３に記録されている５頁目の画像を読出し、コピー用紙Ｐの表面に５頁目の画像を複写し、反転した後、自動両面装置７０内の一時集積部７１にスタックする（ＳＴ１２８）（図３０（ｂ）（ｃ）参照）。このスタックが行われた後（ＳＴ１２９）、メインＣＰＵ１００は、一時集積部７１にスタックされているコピー用紙Ｐを取出し、このコピー用紙Ｐの裏面が白紙のままフィニッシャ１５０に排紙される（ＳＴ１３０）（図３０（ｂ）（ｄ）参照）。
【０１５３】
また、上記ステップ１１５の表示に応じて、［ＮＯ］のアイコンＩ３が入力された際、メインＣＰＵ１００は、［ＮＯ］のアイコンＩ３の押下を判断し（ＳＴ１１１、１１２）、液晶表示部８４により、「コピーできます」というレディ画面を表示する（ＳＴ１３１）。また、メインＣＰＵ１００は、上記ステップ１２０〜１２６の処理と同様に、ページメモリ３２３に記録されている各画像が読出され、コピー用紙Ｐに複写される。
【０１５４】
上記例では、両面設定処理により、奇数枚原稿に設定されている場合について説明したが、偶数枚原稿に設定されている場合も上記同様に実施することができる。
【０１５５】
上記したように、頁連写両面コピー、ブック両面コピー時に、読取り頁を、「両方の頁」「片方の頁」を選択できる手段を設け、両面との組み合わせで「片方の頁」を選択された場合は最後の頁と見なし、両面装置へコピーしてスタックあるいは両面装置からの白紙排出を連続して行うようにしたものである。
【０１５６】
これにより、両面動作の最後に片面のみをコピーする場合に、従来１回クリアしてもう一度スタートキーを投入しなければならなかったのに対して、１回の操作でできるようにし、頁連写両面コピー、ブック両面コピーにおける機能向上が図れ、しかも操作性を向上させることができる。
【０１５７】
この結果、ブック両面モードやページ連写両面モードにおいて、指示するキーの意味を同じにでき、片方のページのみを読取ってコピーすることができ、排出される用紙の頁順を揃えることができ、ページ連写両面モードの際に、頁順でステープルを行うことができ、操作性を向上させることができる。
【０１５８】
また、ブック両面モードにおいて、右頁と左頁のどちらも最終頁となる場合があるが、どちらの場合でも、１枚残りに対応する処理を行うことができる。
【０１５９】
【発明の効果】
以上詳述したように、この発明によれば、ブック両面モードやページ連写両面モードにおいて、指示するキーの意味を同じにでき、片方のページのみを読取ってコピーすることができ、排出される用紙のページ順を揃えることができ、操作性を向上させることができる画像形成装置を提供できる。
【図面の簡単な説明】
【図１】この発明の一実施例を説明するためのデジタル複写機の概略構成を示す図。
【図２】原稿載置台での本の載置状態を説明するための図。
【図３】原稿載置台での本の載置状態と読取り領域を説明するための図。
【図４】フィニッシャーを説明するための図。
【図５】フィニッシャーを説明するための図。
【図６】フィニッシャーを説明するための図。
【図７】操作パネルの構成を示す平面図。
【図８】液晶表示部の表示例を示す図。
【図９】デジタル複写機制御システムの概略構成を示すブロック図。
【図１０】スキャナ部の概略構成を示すブロック図。
【図１１】基本部ＣＰＵの概略構成を示すブロック図。
【図１２】プリンタ部の概略構成を示すブロック図。
【図１３】ペ−ジメモリの頁バッファ領域Ｍ１とファイルエリアＭ２の関連を示す図。
【図１４】ソートなしのコピーを説明するための図。
【図１５】ステープル電子ソートによるコピーを説明するための図。
【図１６】全体の概要を説明するためのフローチャート。
【図１７】操作パネル入力処理を説明するためのフローチャート。
【図１８】ページ連写設定処理を説明するためのフローチャート。
【図１９】両面設定処理を説明するためのフローチャート。
【図２０】複写開始処理を説明するためのフローチャート。
【図２１】ブック両面の複写処理を説明するためのフローチャート。
【図２２】ブック両面の複写処理における複写状態を説明するための図。
【図２３】複写処理における液晶表示部の表示例を示す図。
【図２４】ブック両面の複写処理における複写状態を説明するための図。
【図２５】ブック両面の複写処理における複写状態を説明するための図。
【図２６】ブック両面の複写処理における複写状態を説明するための図。
【図２７】ページ連写両面の複写処理を説明するためのフローチャート。
【図２８】ページ連写両面の複写処理における複写状態を説明するための図。
【図２９】ページ連写両面の複写処理における複写状態を説明するための図。
【図３０】ページ連写両面の複写処理における複写状態を説明するための図。
【図３１】他の例におけるブック両面の複写処理を説明するためのフローチャート。
【図３２】他の例におけるブック両面の複写処理を説明するためのフローチャート。
【図３３】他の例におけるページ連写両面の複写処理を説明するためのフローチャート。
【図３４】他の例におけるページ連写両面の複写処理を説明するためのフローチャート。
【図３５】ブック両面の複写処理における複写状態を説明するための図。
【図３６】ページ連写両面の複写処理における複写状態を説明するための図。
【図３７】複写処理における液晶表示部の表示例を示す図。
【符号の説明】
４…スキャナ部
６…プリンタ部
Ｄ…原稿
Ｐ…コピー用紙
８０…操作パネル
８４…液晶表示部
３０１…基本部
３０２…ページメモリ部
３１１…基本部ＣＰＵ
３１４…画像処理手段
３２３…ページメモリ
【図１】
0003784894.tif 000002
【図２】
0003784894.tif 000003
【図３】
0003784894.tif 000004
【図４】
0003784894.tif 000005
【図５】
0003784894.tif 000006
【図６】
0003784894.tif 000007
【図７】
0003784894.tif 000008
【図８】
0003784894.tif 000009
【図９】
0003784894.tif 000010
【図１０】
0003784894.tif 000011
【図１１】
0003784894.tif 000012
【図１２】
0003784894.tif 000013
【図１３】
0003784894.tif 000014
【図１４】
0003784894.tif 000015
【図１５】
0003784894.tif 000016
【図１６】
0003784894.tif 000017
【図１７】
0003784894.tif 000018
【図１８】
0003784894.tif 000019
【図１９】
0003784894.tif 000020
【図２０】
0003784894.tif 000021
【図２１】
0003784894.tif 000022
【図２２】
0003784894.tif 000023
【図２３】
0003784894.tif 000024
【図２４】
0003784894.tif 000025
【図２５】
0003784894.tif 000026
【図２６】
0003784894.tif 000027
【図２７】
0003784894.tif 000028
【図２８】
0003784894.tif 000029
【図２９】
0003784894.tif 000030
【図３０】
0003784894.tif 000031
【図３１】
0003784894.tif 000032
【図３２】
0003784894.tif 000033
【図３３】
0003784894.tif 000034
【図３４】
0003784894.tif 000035
【図３５】
0003784894.tif 000036
【図３６】
0003784894.tif 000037
【図３７】
0003784894.tif 000038